(57)【特許請求の範囲】
【請求項１】
検索システムにして、
それぞれ複数のフィールドを有する複数のレコードデータを記憶する第１メモリと、
前記複数のフィールドの名称又は識別子を記憶する第２メモリと、
前記複数のレコードの名称又は識別子を記憶する第３メモリと、
第１フィールドについての所定レコード・データ入力に応じて、前記所定レコード・データを有するレコード群を選択し、それらが有する他のレコード・データと共に選択結果表示画面へ表示する手段と、比較を行うための比較メニューの比較フィールドの選択により、前記他のレコード・データの中から選択された前記比較フィールドに係る他のレコード・データ同士を特定し選択結果表示画面へ表示する手段とを備え、
さらに、前記選択結果表示画面は、少なくとも一つの第２フィールドについての追加選択条件入力欄を有することを特徴とする検索システム。
【発明の詳細な説明】
【０００１】
【発明の属する技術分野】
この発明は、検索システムに関し、さらに詳細には検索キーのよる検索をどのページでも同様に行えることができる検索システムに関する。
【０００２】
【従来の技術】
一般に、例えば、インターネットに接続されたサーバ等に格納された情報等を検索システムで検索するとき、通常、検索専用のページで検索条件を全て一括し入力して検索を行っていた。
【０００３】
この結果、検索された情報を得た後、再び情報の検索を行うとき、一旦検索専用のページに戻って検索条件を最初から入力していた。
【０００４】
また、検索した結果、複数の情報が表示された場合、これら表示された複数の情報を比較するときは、例えばこの情報の発信源であるホームページ等へアクセスして比較のための情報を得ていた。
【０００５】
【発明が解決しようとする課題】
このような従来の検索システムは、以下のような問題があった。
【０００６】
すなわち、得たい情報を検索画面で一度検索して結果を出力した後、異なった条件で情報を検索する場合、一旦、最初の検索画面に戻り、検索条件を入力しなければならないという問題があった。例えば検索条件を複数項目入力して検索したあと、検索条件の１つだけ変更して情報を検索する場合でも初めの検索画面に戻り検索条件を全て入力しなければならいため時間が掛かるという問題があった。
【０００７】
また、検索条件に該当する情報が複数検索されたとき、検索された情報同士の比較を行う場合、例えば個々のホームページへアクセスして比較の情報等を入手しなければならず時間と手間が掛かるという問題があった。
【０００８】
【課題を解決するための手段】
本発明は、前述のごとき問題に鑑みてなされたもので、請求項１に係る発明は、検索システムにして、それぞれ複数のフィールドを有する複数のレコードデータを記憶する第１メモリと、前記複数のフィールドの名称又は識別子を記憶する第２メモリと、前記複数のレコードの名称又は識別子を記憶する第３メモリと、第１フィールドについての所定レコード・データ入力に応じて、前記所定レコード・データを有するレコード群を選択し、それらが有する他のレコード・データと共に選択結果表示画面へ表示する手段と、比較を行うための比較メニューの比較フィールドの選択により、前記他のレコード・データの中から選択された前記比較フィールドに係る他のレコードデータ同士を特定し選択結果表示画面へ表示する手段とを備え、さらに、前記選択結果表示画面は、少なくとも一つの第２フィールドについての追加選択条件入力欄を有する検索システムである。
【０００９】
【発明の実施の形態】
本発明の実施の形態を、図面を参照して説明する。
【００１０】
本例では金属等の加工を依頼する検索者が金属加工業者を検索する場合を説明する。
【００１１】
本例の検索システムはコンピュータよりなるものであって、図示しないコンピュータ本体、キーボード、マウス、及び表示画面等を備えている。
【００１２】
さらに、本検索システムは、例えばインターネット上のホームページとしての機能を備えている。従って、金属加工業者を検索する検索者は本検索システムへアクセスして金属加工業者を検索する。また、本検索システムへは金属加工業者が自己の情報と共に登録を行う。この登録後、金属加工業者は前記自己の情報等を前記検索システムにアクセスしてリアルタイムで追加、修正、及び削除等を行うことができる。
【００１３】
図１〜図１０を参照して検索システムの動作を説明する。
【００１４】
図１に本検索システムの概略の流れを示す。検索者は最初に、金属加工業者が加工する製品の製品分野１０１、製品形状１０３、材料・材質１０５、金属加工業者の地域１０７、及び金属加工業者の保有設備１０９の検索条件の中から１つを選択する。
【００１５】
金属加工業者を検索する検索者が上記で選択した条件は、例えば材料・材質１０５の場合、材料の種類（ＳＰＣ、ＳＵＳ、ＡＬ、制振鋼板、銅、真鍮、チタン、及びマグネシウム等）が欄１１１に表示される。
【００１６】
そして、例えばＳＵＳの欄１１３を選択する（これにより、検索は最下層に達してトップ画面ＴＧが結果画面ＫＧに変わる。また、前記結果画面ＫＧについては後で詳細に説明する）。この結果、ＳＵＳを製品の材料として取り扱う金属加工業者の一覧（図示しない）が結果画面ＫＧ（図示しない）に表示される（例えば、Ａ社、Ｂ社、Ｃ社、Ｄ社、Ｅ社。通常の検索システムは、以上で検索を終了する）。そして、この結果画面ＫＧには、絞り込みメニューＭＵＡと、比較メニューＭＵＢとが備えられる。これにより、検索者は前記結果画面ＫＧからさらに種々検索を行うことができる。
【００１７】
そして、検索された金属加工業者が表示されている前記結果画面ＫＧに備えられた絞り込みのメニューＭＵＡ（図示しない）から、例えば検索者は地域（北海道、青森、岩手、宮城、秋田、山形、福島、茨城、群馬、埼玉、千葉、東京、神奈川、新潟、富山、石川等）で絞り込みを行う場合、地域のボタンを選択する。
【００１８】
これにより、各地域が欄１１５に表示される。そして、例えば東京１１７を選択すると、ＳＵＳを取り扱う金属加工業者で、東京地域のものだけが前記結果画面ＫＧに表示される。この結果、Ａ社、Ｂ社、及びＣ社が該当する場合、Ａ社、Ｂ社、及びＣ社が結果画面ＫＧに表示される。
【００１９】
そして、検索者Ｋが２回目の絞り込みを製品形状（パネル・カバー、シャーシー・ベース、ブラケット、精密部品、サッシ等）で行うため前記絞り込みメニューＭＵＡの中から製品形状を選択する。この結果、製品形状の種類が欄１１９に表示される。この中から例えばパネル・カバー１２１を選択する。
【００２０】
この結果ＳＵＳを取り扱い、東京地域で、製品形状がパネル・カバーを扱う金属加工業者が前記結果画面ＫＧに表示される。すなわち、この条件を満足する金属加工業者がＡ社、及びＢ社の場合、Ａ社、及びＢ社が前記結果画面ＫＧに表示される。
【００２１】
ここで、順次選択されて記憶されている検索条件をキャンセル（例えばクリアボタンをクリックする）して、新たな検索条件で検索することが現在表示されている結果画面ＫＧでできる（結果画面ＫＧ上に絞り込みメニューＭＵＡがあるため）。これにより、検索者は迅速で効率の良い検索を行うことができる。
【００２２】
前記Ａ社、及びＢ社（絞り込みの条件である材料がＳＵＳ、地域が東京、製品形状がパネル・カバーを備えた会社）の各種内容の比較を行う場合、結果画面ＫＧにある比較メニューＭＵＢから、比較内容項目（会社名、都道府県、規模・稼働状況、住所、板金加工、機械加工、プレス加工、保有機械、材料等）を選択する。選択された項目の詳細な内容が金属加工業者毎（本例ではＡ社、及びＢ社）に結果画面ＫＧに表示される。
【００２３】
例えば、検索者が製品納入の納期を重視するので規模・稼働状況の比較を行う場合、規模・稼働状況の項目１２３を選択する。この結果、稼働の状況を丸印（すぐに製品を加工でき納品できる）、三角印（納品まで多少待つ）、バツ印（納品までかなり待つ）で識別した記号が表示される。これにより、検索者Ｋは納期の参考にすることができる。また、従業員も表示されるのでこの稼働状況と併せて参考にすることができる。
【００２４】
前記稼働状況は、金属加工業者がサーバにアクセスして自己のデータの変更を行うことができるためリアルタイムな稼働情報を検索者に提供することができる。
【００２５】
図２に検索条件の項目を示す。すなわち、製品分野２０１、製品形状２０３、地域２０５、保有設備２０７、材料・材質２０９、及び物づくり範囲２１１の項目がある。これらを第１階層とする。
【００２６】
前記製品分野２０１は、第２階層である製鉄・鋼材・１次加工（第３階層である製鉄業、鋼材販売、賃切断、テストピース等）、第２階層である建設・設備・金属製品（第３階層であるロッカー、スチール家具、調理装置、看板装飾照明、インテリア、鉄骨、建設金属、空調冷暖房機器、建築物、建造物、サッシ、建設金属、業務用冷凍、ショーケース、その他）、第２階層である産業・業務機械・工具（第３階層である産業特殊機械装置、自販機、自動サービス機、工具・機械刃物、工作機械、カバー類、エレベータ、昇降機、ミシン、編み機、農業用機械、タイプ、レジ、事務機器、その他）、第２階層である電気・電子機器（第３階層である発電、電動機、変圧器、テレビ・音響・ビデオ機器、電気・電子部品、配電盤、制御盤、ＯＡ・ＦＡ・コンピュータ機器、家電、照明器具、通信・無線・応用機器、その他）、第２階層である運送用機械器具（第３階層である乗用車・車体、内外装、オートバイ、航空機、トラック、特殊車両、自転車、自転車部品、伝送照明、鉄道、保全信号）、第２階層である精密機器（第３階層である医療機器、Ｘ線、電気計測、アナライザ、理化学、分析機器、測定器、試験器、測定器具、メータ類、その他）、第２階層であるその他（第３階層である玩具・ゲーム機、レジャー機器具、楽器、雑貨・ボルト、金物、その他）の項目を含む。
【００２７】
前記製品形状２０３は第２階層であるパネル・ドア・カバー・ケース、シャーシ・ベース・フレーム、精密部品・機械部品・内部部品、リブ・ブラケット・小物部品、サッシ・長尺・大物、厚板・製缶、その他特殊項目を含む。
【００２８】
前記地域２０５は４７都道府県項目を含む。
【００２９】
前記保有設備２０７は第２階層であるＣＡＤ／ＣＡＭ（第３階層である２次元ＣＡＤ／ＣＡＭ、３次元ＣＡＤ／ＣＡＭ）、第２階層である板金加工（第３階層であるシャーリング、パンチング、レーザ、ベンダ、コーナーシャー、セットプレス、パンチ、その他）、第２階層であるプレス加工（第３階層である順送、単発、トランスファー、ロボット、その他）、第２階層である機械加工（第３階層であるマシニングセンター、研削、ワイヤーカット、鋸盤、フライス、旋盤、ボール盤、その他）、第２階層である溶接（第３階層であるスタット、ＹＡＧ、アーク、スポット）、第２階層である表面処理（第３階層である塗装、脱脂、研磨、メッキ、その他特殊）、第２階層である組立（第３階層である組立、その他）、第２階層であるその他設備の項目を含む。
【００３０】
前記材料・材質２０９は第２階層であるＳＰＣ、ＳＵＳ、ＡＬ、銅、制振鋼板、真鍮、チタン、マグネシウム、その他特殊の項目を含む。
【００３１】
なお、ものづくり範囲２１１は設計、プログラム、板金加工、プレス加工、機械加工、溶接等の項目を含む。
【００３２】
検索者は、これらの項目を検索条件として該当する金属加工業者を検索することができる。
【００３３】
図３に絞り込み項目を示す。絞り込み項目は以下の項目を含む。すなわち、地域３０１（４７都道府県）、製品形状３０３（パネル・ドア、カバー・ケース、シャーシ・ベース、フレーム、精密部品・機構部品、内部部品、リブ・ブラケット、小物部品、サッシ・長尺・大物、板厚・製缶、その他特殊）、材料・材質３０５（ＳＰＣ、ＳＵＳ、ＡＬ、制振鋼板、銅、真鍮、チタン、マグネシウム、その他特殊）、設備・板金加工３０７（シャーリング、コーナーシャー、セットプレス、パンチング、レーザ、レーザパンチ、ベンダー、その他）、設備・機械加工３０９（マシニングセンタ、フライス、研削、旋盤、ワイヤカット、ボール盤、のこ盤、その他）、設備・プレス加工３１１（順送、単発、トランスファー、ロボット、その他）、設備・表面処理３１３（塗装、研磨、メッキ、脱脂、その他）、設備・溶接３１５（スタット、アーク、ＹＡＧ、スポット等）等を含む。
【００３４】
図４〜図１０を参照して検索システムの動作を詳細に説明する。
【００３５】
図４に検索システムのトップ画面ＴＧを示す。このトップ画面ＴＧは検索者が金属加工業者を検索するため最初に選択すべき条件メニューを含んでいる。
【００３６】
すなわち、製品分類から検索する製品分類メニュー４０１と、製品形状から検索する製品形状メニュー４０３と、地域から検索する地域メニュー４０５と、保有設備から検索する保有設備メニュー４０７と、材料・材質から検索する材料・材質メニュー４０９とである。前記製品分類メニュー４０１と、保有設備メニュー４０７とは第３階層が存在し一段多く絞り込みを行う。
【００３７】
そして、各項目の最下層にいくと、トップ画面ＴＧが結果画面ＫＧに変わる。
【００３８】
更に絞り込みメニューＭＵＡ（図示しない）が現れ、他の項目と掛け合わせたＡＮＤ検索が行える。これにより、トップ画面ＴＧに戻ることなく絞り込みの条件の追加等を行っていくことができる。なお、トップ画面ＴＧは本サイトの使用説明を掲載した欄４１１を含んでいる。
【００３９】
図５に条件絞り込みの途中画面を示す。例えば第３階層まである製品分野項目を選択した場合、第２階層まで選択したとき、更に下の第３階層があるので検索結果である金属加工業者は表示欄５０１には表示されない。
【００４０】
図６に検索条件が製品分野と、製鉄・鋼材・一次加工と、製鉄業とで検索した結果、条件に該当した金属加工業者が表示された結果画面ＫＧを示す。前記結果画面ＫＧは以下の情報等を含んでいる。
【００４１】
すなわち、現在開いているディレクトリ（最下層の検索条件名）を表示する欄６０１と、このディレクトリの階層（選択された検索条件の履歴）を表示する欄６０３とを含んでいる。また、条件に該当する金属加工業者（レコード）を表示する表示欄６０５を含む。前記表示欄６０５には以下のものが表示される。例えば金属加工業者である（有）ＡＢＣ及び関連情報（都道府県、従業員数、稼働状況、及び製品分野等）が欄６０５ａに表示される。金属加工業者である（株）ＡＡ及び関連情報（都道府県、従業員数、稼働状況、及び製品分野等）が欄６０５ｂに表示される。
【００４２】
金属加工業者である（有）ＢＢ及び関連情報（都道府県、従業員数、稼働状況、及び製品分野等）が欄６０５ｃに表示される。金属加工業者である（株）ＣＤ及び関連情報（都道府県、従業員数、稼働状況、及び製品分野等）が欄６０５ｄに表示される。金属加工業者である（株）ＣＥ及び関連情報（都道府県、従業員数、稼働状況、及び製品分野等）が欄６０５ｅに表示される。
【００４３】
金属加工業者であるＢＤ（株）及び関連情報（都道府県、従業員数、稼働状況、及び製品分野等）が欄６０５ｆに表示される。金属加工業者である（株）ＡＣ及び関連情報（都道府県、従業員数、稼働状況、及び製品分野等）が欄６０５ｇに表示される。
【００４４】
そして、絞り込みメニューＭＵＡと、比較メニュー（フィールド）ＭＵＢとを含んでいる。検索者はさらに、前記表示欄６０５に表示されている金属加工業者（レコード）の絞り込みを行いたいときは絞り込みメニューＭＵＡに含まれる絞り込み項目（フィールド）を選択する。
【００４５】
図７を参照して項目絞り込みの詳細を説明する。例えば地域７０１の絞り込み項目（フィールド）を選択するとプルダウンメニューが表示される。そして、絞り込みを行う都道府県（フィールド）をクリックすると選択された地域の金属加工業者（レコード）に絞られる。機械加工７０３、溶接７０５、表面処理７０７等についても同様である。
【００４６】
絞り込みの経緯は結果画面ＫＧに含まれる欄７０９に表示されるので、現在どのような条件の金属加工業者が表示されているのか検索者は確認できる。
【００４７】
この時、更に絞り込みを続けることもできるが、ＡＮＤ検索になるので、選択した絞り込み項目の条件を全て満たす金属加工業者のみが表示される。
【００４８】
絞り込みの解除を行えば、今まで選択した絞り込み項目が解除でき新たに絞り込み項目の設定を行うことができる。
【００４９】
図８を参照して比較メニューＭＵＢの使用方法を説明する。前記比較メニューＭＵＢは以下の項目を含む。例えば会社名項目８２１、都道府県項目８２３、規模・稼働項目８２５、住所項目８２７、製品分野項目８２９、材料項目８３１、板金加工項目８３３、プレス加工項目８３５、機械加工項目８３７、溶接項目８３９、表面処理項目８４１、ＣＡＤ／ＣＡＭ項目８４３等（比較フィールド）である。
【００５０】
この比較メニューＭＵＢで、選択された項目（比較フィールド）は、実際の画面上では凹んだ表示になっている。そして、この凹んだ項目に関する内容（他のレコード・データの中から特定された前記比較フィールドに係る他のレコード・データ）が内容欄８０１に表示されている。例えば前記製品分野項目８２９が選択されている場合、前記内容欄８０１には、図示のとおり金属加工業者が加工を行う製品分野の種類（製鉄業、テストピース、空調冷暖房機器、産業・特殊機械装置、工作機械カバー等）が表示される。これらの製品分野の種類が絞り込まれた各金属加工業者毎に表示されるので検索者は容易に比較を行うことができる。
【００５１】
この他にも、例えば材料項目８３１を選択すると、内容欄８０１に材料関係の情報が表示される。
【００５２】
図９（ａ）に材料項目８３１が選択された例を示す。内容欄９０１ａには金属加工者が加工する材料の種類（ＳＡＰ、ＳＵＳ、ＡＬ、銅、チタン等）が各金属加工業者毎に表示される。これにより、検索者は複数の金属加工業者の材料関係の比較を容易に行うことができる。
【００５３】
図８に説明を戻す。比較メニューＭＵＢの項目から、例えば板金加工項目８３３を選択すると、内容欄８０１に板金加工関係の内容が表示される。
【００５４】
図９（ｂ）に板金関係の事業内容及びセールスポイント等が表示された例を示す。内容欄９０１ｂには板金関係の内容（小数精鋭で精密板金の試作を中心に行っています。登録機械数５、登録技術者数６等）が各金属加工業者毎に表示される。これにより、検索者は複数の金属加工業者の板金関係の内容を容易に比較することができる。
【００５５】
図８に説明を戻す。比較メニューＭＵＢの項目から、例えば住所項目８２７を押すと、内容欄８０１に住所が表示される。
【００５６】
図１０（ａ）に住所が表示された例を示す。内容欄１００１ａには住所が表示される。こりにより、検索者は例えば自己の住所に近い金属加工業者を複数の金属加工業者の中から容易に見つけることができる。
【００５７】
図８に説明を戻す。比較メニューＭＵＢの項目から、例えばＣＡＤ／ＣＡＭ項目８４３を選択すると、内容欄８０１にＣＡＤ／ＣＡＭに関する情報（例えば使用している機種等）が、複数の金属加工業者毎に表示される。
【００５８】
図１０（ｂ）にＣＡＤ／ＣＡＭ情報が表示された例を示す。内容欄１００１ｂには、例えば保有する機種名（ＡＰ６０、ＡＰ１００、ＡＰ２００等）が表示される。これにより、検索者はこの金属加工業者を信頼することができる。
【００５９】
検索者は調査の結果、金属加工業者を特定する。そして、特定した金属加工業者の詳細情報を知りたいときは、会社名をクリックする。この結果、金属加工業者の詳細情報が画面に表示される。
【００６０】
図１１に特定された金属加工業者の詳細情報を表示する画面１１０１を示す。
【００６１】
この画面１１０１は以下の項目を含む。すなわち、社長項目１１０３、所在地項目１１０５、製品分野項目１１０７、製品形状項目１１０９、主要取引先項目１１１１、従業員数項目１１１３、物づくりの範囲項目１１１５、取り扱い材料・材質項目１１１７、加工情報ＰＲ項目１１１９、製品精度ＰＲ項目１１２１、品質保証ＰＲ項目１１２３、納期ＰＲ項目１１２５、価格ＰＲ項目１１２７、保有設備項目１１２９、保有技術項目１１３１、ＴＥＬ項目１１３３、ＦＡＸ項目１１３５、担当者項目１１３７、ｅ−ｍａｉｌ項目１１３９、及びホームページ項目１１４１を含む。前記保有設備項目１１２９はハイパーリンクテキスト１１２９でありクリックすると、画面１１４３が表示される。この画面１１４３は以下の項目を含む。すなわち、保有設備の区分欄１１４５、機種名欄１１４７、メーカ欄１１４７、機械の能力欄１１４９、ＣＡＤ／ＣＡＭ製品名欄１１５３、及び台数欄１１５５である。これらの情報が表示されることにより検索者は特定された金属加工業者の実力を把握することができ信用できるかどうかを判断できるようになる。
【００６２】
なお、本発明は、上述した実施の態様の例に限定されることなく、適宜の変更を加えることにより、その他の態様で実施できるものである。
【００６３】
【発明の効果】
上述の如く本発明によれば、得たい情報を検索画面で一度検索た後、新たに、異なった情報を検索する場合、現在開いている画面で再度検索条件の変更、追加等を行うことができるため迅速な検索が行えるという効果がある。
【００６４】
また、検索条件に該当する情報が複数検索され、この検索された情報同士の比較を行う場合、画面にある比較メニューを使って行えるため迅速で適正な情報選択ができるという効果がある。
【図面の簡単な説明】
【図１】金属加工業者の検索の概略を示す概略図である。
【図２】検索条件項目の種類を説明する説明図である。
【図３】絞り込み項目の種類を説明する説明図である。
【図４】トップ画面を説明する説明図である。
【図５】検索結果表示画面を説明する説明図である。
【図６】検索結果表示画面を説明する説明図である。
【図７】絞り込みを説明する説明図である。
【図８】比較メニューを説明する説明図である。
【図９】比較メニューを説明する説明図である。
【図１０】比較メニューを説明する説明図である。
【図１１】会社詳細情報画面を説明する説明図である。
【符号の説明】
ＴＧ  トップ画面
ＫＧ  結果画面
ＭＵＡ  絞り込みメニュー
ＭＵＢ  比較メニュー
【図１】
0003545347.tif 000002
【図２】
0003545347.tif 000003
【図３】
0003545347.tif 000004
【図４】
0003545347.tif 000005
【図５】
0003545347.tif 000006
【図６】
0003545347.tif 000007
【図７】
0003545347.tif 000008
【図８】
0003545347.tif 000009
【図９】
0003545347.tif 000010
【図１０】
0003545347.tif 000011
【図１１】
0003545347.tif 000012